(57)【要約】【課題】第１画像及び第２画像を並行して表示可能な表示装置において表示品位を高めることが可能な技術を提供することを目的とする。【解決手段】表示装置は駆動部を備える。駆動部は、一の第１絵素列に隣り合う別の第１絵素列における赤色、緑色、青色及び白色の絵素に、一の第１絵素列における赤色、緑色、青色及び白色の絵素に印加する電圧の極性と逆の極性の電圧を印加し、一の第２絵素列に隣り合う別の第２絵素列における赤色、緑色、青色及び白色の絵素に、一の第２絵素列における赤色、緑色、青色及び白色の絵素に印加する電圧の極性と逆の極性の電圧を印加する。【選択図】図４
2019015942.tif 000002
【特許請求の範囲】
【請求項１】
第１画像及び第２画像を並行して表示可能な表示装置であって、
列方向に１つずつ配列された赤色、緑色、青色及び白色の絵素からなる複数の絵素列が列方向及び行方向のそれぞれに配列された表示パネルと、
前記表示パネルに電圧を印加する駆動部と
を備え、
前記第１画像及び前記第２画像は、前記複数の絵素列のうち行方向に沿って交互に設けられた第１絵素列及び第２絵素列によってそれぞれ表示され、
前記駆動部は、
一の前記第１絵素列に隣り合う別の前記第１絵素列における赤色、緑色、青色及び白色の絵素に、前記一の第１絵素列における赤色、緑色、青色及び白色の絵素に印加する電圧の極性と逆の極性の電圧を印加し、
一の前記第２絵素列に隣り合う別の前記第２絵素列における赤色、緑色、青色及び白色の絵素に、前記一の第２絵素列における赤色、緑色、青色及び白色の絵素に印加する電圧の極性と逆の極性の電圧を印加する、表示装置。
【請求項２】
請求項１に記載の表示装置であって、
一の前記絵素列は、
それぞれが赤色、緑色、青色及び白色の絵素のいずれかであって、列方向の順方向に順に配列された第１絵素、第２絵素、第３絵素及び第４絵素を含み、
前記第１絵素及び前記第２絵素は、第１ゲート配線と接続され、
前記第３絵素及び前記第４絵素は、第２ゲート配線と接続され、
前記第１絵素及び前記第３絵素は、第１ソース配線と接続され、
前記第２絵素及び前記第４絵素は、第２ソース配線と接続されている、表示装置。
【請求項３】
請求項１または請求項２に記載の表示装置であって、
前記複数の絵素列の緑色及び白色の絵素は、第１傾斜方向に配列され、
前記複数の絵素列の赤色及び青色の絵素は、前記第１傾斜方向と異なる第２傾斜方向に配列されている、表示装置。
【請求項４】
請求項１または請求項２に記載の表示装置であって、
前記複数の絵素列の赤色、緑色、青色及び白色の絵素を４×４の行列状に配列した第１絵素行列及び第２絵素行列が規定され、
前記第１絵素行列の緑色及び白色の絵素は、第１傾斜方向に配列され、
前記第１絵素行列の赤色及び青色の絵素は、前記第１傾斜方向と異なる第２傾斜方向に配列され、
前記第２絵素行列は、前記第１絵素行列と行方向において隣り合い、かつ列方向に関して前記第１絵素行列と対称である、表示装置。
【請求項５】
請求項２に記載の表示装置であって、
前記駆動部は、
前記第１ゲート配線をオンし、かつ、前記第２ゲート配線をオフしつつ、前記第１ソース配線に第１極性の電圧を印加し、かつ、前記第２ソース配線に前記第１極性と異なる第２極性の電圧を印加し、
その後に、前記第２ゲート配線をオンし、かつ、前記第１ゲート配線をオフしつつ、前記第１ソース配線に前記第１極性の電圧を印加し、かつ、前記第２ソース配線に前記第２極性の電圧を印加する、表示装置。
【請求項６】
請求項５に記載の表示装置であって、
前記一の絵素列と列方向において隣り合う別の前記絵素列は、
それぞれが赤色、緑色、青色及び白色の絵素のいずれかであって、列方向の順方向に順に配列された第５絵素、第６絵素、第７絵素及び第８絵素を含み、
前記第５絵素及び前記第６絵素は、第３ゲート配線と接続され、
前記第７絵素及び前記第８絵素は、第４ゲート配線と接続され、
前記第５絵素及び前記第７絵素は、前記第１ソース配線と接続され、
前記第６絵素及び前記第８絵素は、前記第２ソース配線と接続され、
前記駆動部は、
前記第１〜第４ゲート配線のうち第１ゲート配線のみをオンしつつ、前記第１ソース配線に前記第１極性の電圧を印加し、かつ、前記第２ソース配線に前記第２極性の電圧を印加し、
その後に、前記第１〜第４ゲート配線のうち第４ゲート配線のみをオンしつつ、前記第１ソース配線に前記第２極性の電圧を印加し、かつ、前記第２ソース配線に前記第１極性の電圧を印加し、
その後に、前記第１〜第４ゲート配線のうち第３ゲート配線のみをオンしつつ、前記第１ソース配線に前記第２極性の電圧を印加し、かつ、前記第２ソース配線に前記第１極性の電圧を印加し、
その後に、前記第１〜第４ゲート配線のうち第２ゲート配線のみをオンしつつ、前記第１ソース配線に前記第１極性の電圧を印加し、かつ、前記第２ソース配線に前記第２極性の電圧を印加する、表示装置。
【請求項７】
請求項２に記載の表示装置の駆動方法であって、
前記第１ゲート配線をオンし、かつ、前記第２ゲート配線をオフしつつ、前記第１ソース配線に第１極性の電圧を印加し、かつ、前記第２ソース配線に前記第１極性と異なる第２極性の電圧を印加し、
その後に、前記第２ゲート配線をオンし、かつ、前記第１ゲート配線をオフしつつ、前記第１ソース配線に前記第１極性の電圧を印加し、かつ、前記第２ソース配線に前記第２極性の電圧を印加する、表示装置の駆動方法。
【請求項８】
請求項７に記載の表示装置の駆動方法であって、
前記一の絵素列と列方向において隣り合う別の前記絵素列は、
それぞれが赤色、緑色、青色及び白色の絵素のいずれかであって、列方向の順方向に順に配列された第５絵素、第６絵素、第７絵素及び第８絵素を含み、
前記第５絵素及び前記第６絵素は、第３ゲート配線と接続され、
前記第７絵素及び前記第８絵素は、第４ゲート配線と接続され、
前記第５絵素及び前記第７絵素は、前記第１ソース配線と接続され、
前記第６絵素及び前記第８絵素は、前記第２ソース配線と接続され、
前記表示装置の駆動方法は、
前記第１〜第４ゲート配線のうち第１ゲート配線のみをオンしつつ、前記第１ソース配線に前記第１極性の電圧を印加し、かつ、前記第２ソース配線に前記第２極性の電圧を印加し、
その後に、前記第１〜第４ゲート配線のうち第４ゲート配線のみをオンしつつ、前記第１ソース配線に前記第２極性の電圧を印加し、かつ、前記第２ソース配線に前記第１極性の電圧を印加し、
その後に、前記第１〜第４ゲート配線のうち第３ゲート配線のみをオンしつつ、前記第１ソース配線に前記第２極性の電圧を印加し、かつ、前記第２ソース配線に前記第１極性の電圧を印加し、
その後に、前記第１〜第４ゲート配線のうち第２ゲート配線のみをオンしつつ、前記第１ソース配線に前記第１極性の電圧を印加し、かつ、前記第２ソース配線に前記第２極性の電圧を印加する、表示装置の駆動方法。
【発明の詳細な説明】
【技術分野】
【０００１】
本発明は、特に視差バリア方式などの光偏向部材を用いて第１画像及び第２画像を並行して表示可能な表示装置、及び、その駆動方法に関する。
【背景技術】
【０００２】
近年、第１画像及び第２画像を並行して表示可能な表示装置として、特殊な眼鏡を必要としないで立体画像を視認可能な裸眼立体画像表示装置が提案されている。
【０００３】
例えば、特許文献１には、透過型表示素子を電子制御することによってパララックスバリア・ストライプを発生するバリア発生手段と、当該バリア発生手段から後方に所定距離を離して配置され、パララックスバリア・ストライプに対応してストライプ状の左眼画像と右眼画像とが交互に配列される表示画面と、多方向画像を当該表示画面に出力可能な画像表示手段と、を備える３次元画像表示装置が開示されている。このような立体画像表示装置では、バリア・ストライプを電子式に発生させると共に、発生したバリア・ストライプの形状（ストライプの数、幅、間隔）や位置（位相）、濃度などを自由に可変制御できるようにしたので、２次元画像表示装置としても、３次元画像表示装置としても使用することができ、両立性のある画像表示装置を実現することができる。
【０００４】
また、特許文献２には、右眼用映像を表示する右眼用画素と左眼用映像を表示する左眼用画素とを全ての行及び全ての列で交互に並ぶように配置（チェッカーフラグパターン状配置）された映像表示パネルと、この映像表示パネルの観察者側に配置され、右眼用画素及び左眼用画素に対応した開口部を有し、右眼用画素及び左眼用画素からの光を分離し観察者側に出光する光学フィルタ（視差バリアやレンズ）と、を備える立体表示装置が開示されている。
【０００５】
さらに、特許文献３では、縦ストライプ形状の開口部を有する光学フィルタ（視差バリアやレンズ）を用いて、２方向に２画像を２次元表示することによって１画像を３次元表示することが可能な２画像モードと、視差バリアを全透過状態にして１画像を２次元表示することが可能な１画像モードとを有する表示ディスプレイにおいて、１画像モードにおいても、滑らかで解像度感を提供できる表示ディスプレイが開示されている。
【０００６】
また、特許文献４には、２次元画像表示装置において、画素の配列を工夫した液晶表示装置が開示されている。
【先行技術文献】
【特許文献】
【０００７】
【特許文献１】特許第２８５７４２９号公報
【特許文献２】特許第３０９６６１３号公報
【特許文献３】特許第６０５７６４７号公報
【特許文献４】国際公開第２０１１／０７８１６８号
【発明の概要】
【発明が解決しようとする課題】
【０００８】
しかしながら特許文献１〜３の技術では、液晶表示パネルを用いて右眼用画素及び左眼用画素などに用いられる第１画像及び第２画像を表示する際に、いわゆるフリッカーが発生するという問題があった。また、特許文献４に記載されている通り、第１画像及び第２画像において単色でウィンドウパターンを表示したときに、横シャドーと呼ばれる現象が発生しうるという問題があった。
【０００９】
そこで、本発明は、上記のような問題点を鑑みてなされたものであり、視差バリア方式などの光偏向部材を用いて第１画像及び第２画像を並行して表示可能で、かつ視差バリアを全透過状態にすることで２次元表示も可能な表示装置において表示品位を高めることが可能な技術を提供することを目的とする。
【課題を解決するための手段】
【００１０】
本発明に係る表示装置は、第１画像及び第２画像を並行して表示可能な表示装置であって、列方向に１つずつ配列された赤色、緑色、青色及び白色の絵素からなる複数の絵素列が列方向及び行方向のそれぞれに配列された表示パネルと、前記表示パネルに電圧を印加する駆動部とを備え、前記第１画像及び前記第２画像は、前記複数の絵素列のうち行方向に沿って交互に設けられた第１絵素列及び第２絵素列によってそれぞれ表示され、前記駆動部は、一の前記第１絵素列に隣り合う別の前記第１絵素列における赤色、緑色、青色及び白色の絵素に、前記一の第１絵素列における赤色、緑色、青色及び白色の絵素に印加する電圧の極性と逆の極性の電圧を印加し、一の前記第２絵素列に隣り合う別の前記第２絵素列における赤色、緑色、青色及び白色の絵素に、前記一の第２絵素列における赤色、緑色、青色及び白色の絵素に印加する電圧の極性と逆の極性の電圧を印加する。
【発明の効果】
【００１１】
本発明によれば、駆動部は、一の第１絵素列に隣り合う別の第１絵素列における赤色、緑色、青色及び白色の絵素に、一の第１絵素列における赤色、緑色、青色及び白色の絵素に印加する電圧の極性と逆の極性の電圧を印加し、一の第２絵素列に隣り合う別の第２絵素列における赤色、緑色、青色及び白色の絵素に、一の第２絵素列における赤色、緑色、青色及び白色の絵素に印加する電圧の極性と逆の極性の電圧を印加する。これにより、各色の絵素の極性が均等に分散されるので、フリッカーの発生を抑制することができる。
【図面の簡単な説明】
【００１２】
【図１】実施の形態１に係る液晶表示装置の構成を示すブロック図である。
【図２】実施の形態１に係る液晶パネルの構成を示すブロック図である。
【図３】実施の形態１に係る液晶表示装置の極性配列を示す図である。
【図４】実施の形態１に係る液晶表示装置の極性配列を示す図である。
【図５】実施の形態１に係る液晶表示装置の極性配列を示す図である。
【図６】実施の形態１に係る液晶表示装置の駆動制御を示す図である。
【図７】実施の形態２に係る液晶表示装置の極性配列を示す図である。
【図８】実施の形態２に係る液晶表示装置の極性配列を示す図である。
【図９】実施の形態２に係る液晶表示装置の極性配列を示す図である。
【図１０】実施の形態１に係る液晶表示装置の極性配列を示す図である。
【図１１】実施の形態１に係る液晶表示装置の極性配列を示す図である。
【図１２】実施の形態１に係る液晶表示装置の極性配列を示す図である。
【図１３】実施の形態３に係る液晶表示装置の駆動制御を示す図である。
【図１４】実施の形態３に係る液晶表示装置の極性配列を示す図である。
【図１５】実施の形態３に係る液晶表示装置の極性配列を示す図である。
【図１６】実施の形態３に係る液晶表示装置の極性配列を示す図である。
【図１７】実施の形態４に係る液晶表示装置の極性配列を示す図である。
【図１８】実施の形態４に係る液晶表示装置の極性配列を示す図である。
【図１９】実施の形態４に係る液晶表示装置の極性配列を示す図である。
【図２０】第１関連表示装置の極性配列を示す図である。
【図２１】第１関連表示装置の極性配列を示す図である。
【図２２】第１関連表示装置の極性配列を示す図である。
【図２３】第２関連表示装置の極性配列を示す図である。
【図２４】第２関連表示装置の極性配列を示す図である。
【図２５】第２関連表示装置の極性配列を示す図である。
【発明を実施するための形態】
【００１３】
＜関連表示装置＞
まず、本発明の実施の形態に係る表示装置について説明する前に、当該表示装置と関連する第１及び第２関連表示装置について説明する。
【００１４】
従来の液晶表示装置のような、同一極性の電圧のみを用いて絵素（サブピクセル）を駆動する直流駆動を行う構成では、液晶層内の不純物が偏って蓄積し、液晶層が劣化するという問題があった。
【００１５】
この問題を解決するために、第１及び第２関連表示装置では、絵素に印加する電界の極性を周期的に反転させる交流駆動、つまり極性反転駆動が行われる。しかしながら、＋極性（正極性）の電圧を印加するときと、−極性（負極性）の電圧を印加するときとでの輝度差により、極性反転駆動を行う構成において例えば画面全体で極性を反転させるとフリッカーが発生する。このフリッカーが発生しないようにするため、第１及び第２関連表示装置では、＋極性を印加する絵素と、−極性を印加する絵素とが、表示画面の所定の領域内で均等に分散配置される。
【００１６】
例えば、第１関連表示装置では、赤、緑、青及び白を表示する４種類の絵素によって一つのカラー表示画素が構成されており、各絵素の輝度を制御することによってカラー表示が行われる。ここで第１関連表示装置では、隣接する絵素に印加される電圧の極性を反転させる「１ドット反転」が用いられる。
【００１７】
図２０〜図２２は、１ドット反転を行う第１関連表示装置の、あるフレームにおける極性配列を示す図である。図２０は、視差バリアを全透過状態にして高解像度で１画像を２次元表示することが可能な１画像モードの場合の極性配列を示す。図２１及び図２２は、２方向に２画像を２次元表示することによって１画像を３次元表示することが可能な２画像モードの場合の極性配列を示す。例えば、図２１の絵素は左目に視認され、図２２の絵素は右目に視認される。
【００１８】
図２０に示すように、１画像モードの場合には、行列状に配列された絵素の行方向及び列方向に対して概ね４５度の傾斜角を有する方向である傾斜方向に、各色の絵素が配列される。このような配列によって、１画像モードでは滑らかな解像度感を提供することが可能となる。しかしながら、このような１画像モードにおいて隣り合う絵素同士の極性を互いに反転させた１ドット（絵素）反転配置を行うと、図２０に示すように、各フレームにおいて、各色の全絵素に同じ極性の電圧が印加されることになる。この結果、全面赤表示を行う場合などのように特定の色の絵素だけで表示を行う場合には、フレームごとに画面全体にフリッカーが発生する。
【００１９】
次に第２関連表示装置について説明する。第２関連表示装置では、２×２ドット（絵素）を１画素（ピクセル）として、画素単位の極性反転を行う。
【００２０】
図２３〜図２５は、画素単位の極性反転を行う第２関連表示装置の、あるフレームにおける極性配列を示す図である。図２３は、１画像モードの場合の極性配列を示し、図２１及び図２２は、２画像モードの場合の極性配列を示す。
【００２１】
図２３に示すように、１画像モードの場合には、各フレームにおいて、各色の隣り合う絵素同士には互いに異なる極性の電圧が印加されることになるので、特に問題は発生しない。しかしながら、図２４及び図２５に示すように、２画像モードの場合には、各フレームにおいて、左眼用及び右眼用の画像のそれぞれにおいて、各色の全絵素に同じ極性の電圧が印加されることになる。この結果、左眼用及び右眼用の画像のそれぞれにおいて、全面赤表示を行う場合などのように特定の色の絵素だけで表示を行う場合には、フレームごとに画面全体にフリッカーが発生する。
【００２２】
これに対して、以下に説明する本発明の実施の形態に係る液晶表示装置によれば、以上のようなフリッカー、及び、従来技術において生じていた横シャドーを抑制することが可能となっている。
【００２３】
＜実施の形態１＞
図１は、本発明の実施の形態１に係る液晶表示装置１の構成を示す図である。図１の液晶表示装置１は、透過型の液晶パネル２と、ゲートドライバ９と、ソースドライバ１０とを備えている。液晶パネル２は表示パネルであり、ゲートドライバ９及びソースドライバ１０は駆動部である。
【００２４】
液晶パネル２は、縦方向に２行、横方向に２列に配置された合計４つの絵素（サブピクセル）４を、一つの画素（ピクセル）３として備える。絵素４の色は、それぞれの絵素領域に設けられたカラーフィルタの色で決まる。なお、カラーフィルタの配列、すなわち絵素４の色の配列については図２等を用いて後で説明する。
【００２５】
液晶パネル２には、行列状に配列された複数の絵素４が設けられ、かつ、ゲート配線６と、ソース配線７とが設けられている。各絵素４には、図示しない液晶層と、スイッチング素子であるＴＦＴ（Thin Film Transistor）５とが設けられている。ＴＦＴ５は、ゲート配線６からの電圧によってオンまたはオフし、オンされたＴＦＴ５は、ソース配線７からの電圧を絵素４の液晶層に印加する。このようにＴＦＴ５は、ゲート配線６及びソース配線７からの電圧に基づき、絵素４の液晶層に印加する電圧を制御することによって、液晶層の液晶分子の配向状態を変化させ、それによって絵素４での光透過率を制御する。なお、液晶パネル２には、図示しないコモン電極が設けられている。このコモン電極は、画像表示面内の全域で共通な電位に固定された電極であり、液晶層に電圧を印加するための電極である。
【００２６】
一つの画素３を構成する２行の絵素４の間には、行方向に沿ってゲート配線６が設けられている。そして、一つの画素３を構成する４つの絵素４が有するＴＦＴ５の全てが、同じゲート配線６に接続されている。ゲートドライバ９が順次ゲート配線６を選択（スキャン）する際には、２行分の絵素４が、言い換えると１行分の画素３が、全て同時に選択（スキャン）されることになる。なお、以下の説明においては、ゲート配線６と、絵素４に設けられたＴＦＴ５とを接続することを、ゲート配線６と絵素４とを接続すると適宜略記することもあり、ソース配線７と、絵素４に設けられたＴＦＴ５とを接続することを、ソース配線７と絵素４とを接続すると適宜略記することもある。
【００２７】
各絵素４の左右両側には、ゲート配線６と直交するように絵素の列方向に沿って２本のソース配線７が設けられている。上述したように、ゲート配線６が選択された場合、そのゲート配線６に接続された２行分の絵素４が選択される。液晶表示装置１は、選択された２行分の絵素４のうち、１列に並んでいる、つまり上下に並んでいる２つの絵素４に、２本のソース配線７からの画像表示信号である電圧をそれぞれ印加するように構成されている。図１に示すように、本実施の形態１に係る２本のソース配線７は、各絵素４の左側に設けられたソース配線７ａ（以下「左側ソース配線７ａ」と記すこともある）と、各絵素４の右側に設けられたソース配線７ｂ（以下「右側ソース配線７ｂ」と記すこともある）とを含んでいる。
【００２８】
図１の液晶パネル２では、最も左側の絵素４のうち、上から奇数行に属する絵素４のＴＦＴ５に、左側ソース配線７ａが接続され、偶数行に属する絵素４のＴＦＴ５に、右側ソース配線７ｂが接続されている。左から２番目の絵素４も同様に別のソース配線７ａ，７ｂと接続されている。
【００２９】
一方、左から３番目及び４番目の絵素４は、これとは逆に接続されている。つまり、左から３番目及び４番目の絵素４のうち、上から奇数行に属する絵素４のＴＦＴ５には、右側ソース配線７ｂが接続され、偶数行に属する絵素４のＴＦＴには、左側ソース配線７ａが接続されている。
【００３０】
ゲートドライバ９及びソースドライバ１０は、絵素４が設けられた液晶パネル２に電圧を印加するように構成されている。ゲート配線６はゲートドライバ９に接続され、ソース配線７ａ，７ｂは共にソースドライバ１０に接続されている。ソースドライバ１０は、ゲートドライバ９によってゲート配線６を介して選択されている２行の絵素４に対して、階調信号をソース配線７ａ，７ｂを介して印加する。なお、階調信号は、それぞれの絵素４に画像情報を印加して、絵素４が設けられた画像表示面に画像を表示するための画像表示信号である。
【００３１】
ゲート配線６が順次選択されつつ、以上のような絵素４への印加が順次行われることによって、液晶パネル２の画像表示面に設けられた全ての絵素４に１フレームの画像情報が印加される。この結果、画像表示面内に画像が表示される。
【００３２】
なお図示しないが、液晶表示装置１は、液晶パネル２が透過する光を照射する光源であるバックライトと、ゲートドライバ９及びソースドライバ１０に動作電圧を供給する電源回路と、画像信号などを処理する信号処理回路とを備える。
【００３３】
また図示しないが、液晶表示装置１は、いくつかの絵素４によって表示される第１画像と、残りの絵素４によって表示される第２画像とを２方向にそれぞれ表示可能な光学素子を備える。光学素子は、例えば、視差バリア、及び、レンチキュラーレンズなどを含む。このように構成された液晶表示装置１は、第１画像及び第２画像を並行して表示可能である。ここで、第１画像及び第２画像を並行して表示することは、第１画像及び第２画像を同時に表示すること、及び、人に感じ取れない早さで第１画像及び第２画像を選択的に表示することなどを含む。このような液晶表示装置１において、ユーザが、第１画像及び第２画像として僅かに異なる２つの画像を左目及び右目で見た場合には、３次元画像を裸眼で見ることができる。
【００３４】
次に、図２を用いて本実施の形態１に係る液晶パネル２の絵素４の配列について説明する。なお、図２では絵素４の色が示されている。本実施の形態１に係る液晶パネル２の絵素４は、通常の赤（Ｒ）、緑（Ｇ）、青（Ｂ）の３色の絵素に加えて、白（Ｗ）を含んでいる。このように白（Ｗ）を加えた構成では、表示輝度を高くすることができる。
【００３５】
ここで、液晶パネル２には、複数の絵素列が列方向及び行方向のそれぞれに配列されている。図２には、絵素列８ａ，８ｂが一点鎖線で示されている。
【００３６】
絵素列８ａ，８ｂのそれぞれは、列方向に１つずつ配列された赤色、緑色、青色及び白色の絵素４からなる。具体的には、一の絵素列８ａは、列方向の順方向に順に配列された、第１絵素である白色の絵素４ａと、第２絵素である青色の絵素４ｂと、第３絵素である緑色の絵素４ｃと、第４絵素である赤色の絵素４ｄとを含んでいる。一の絵素列８ａと列方向において隣り合う別の絵素列８ｂは、列方向の順方向に順に配列された、第５絵素である白色の絵素４ｅと、第６絵素である青色の絵素４ｆと、第７絵素である緑色の絵素４ｇと、第８絵素である赤色の絵素４ｈとを含んでいる。
【００３７】
図２に示すように、複数の絵素列を構成する緑色及び白色のそれぞれの絵素４は、左下から右上に進む方向である第１傾斜方向に配列されている。一方、複数の絵素列を構成する赤色及び青色のそれぞれの絵素４は、第１傾斜方向とは異なり、右下から左上に進む方向である第２傾斜方向に配列されている。
【００３８】
次に、絵素４とゲート配線６及びソース配線７の詳細について説明する。
【００３９】
列方向にて隣り合う絵素４ａ，４ｂは、図２においてＧｎと記された第１ゲート配線であるｎ番目のゲート配線６と接続されている。列方向にて隣り合う絵素４ｃ，４ｄは、図２においてＧｎ＋１と記された第２ゲート配線であるｎ＋１番目のゲート配線６と接続されている。列方向にて隣り合う絵素４ｅ，４ｆは、図２においてＧｎ＋２と記された第３ゲート配線であるｎ＋２番目のゲート配線６と接続されている。列方向にて隣り合う絵素４ｇ，４ｈは、図２においてＧｎ＋３と記された第４ゲート配線であるｎ＋３番目のゲート配線６と接続されている。例えば、Ｇｎ＝Ｇ１、Ｇｎ＋１＝Ｇ２、Ｇｎ＋２＝Ｇ３、Ｇｎ＋３＝Ｇ４に対応する。
【００４０】
ソース配線７は、各絵素列の左右両側に設けられており、かつ、対応する絵素列を構成する絵素４に設けられたＴＦＴ５に接続されている。
【００４１】
例えば、左から１列目の絵素列８ａ、つまり上から順に白（Ｗ）の絵素４ａ、青（Ｂ）の絵素４ｂ、緑（Ｇ）の絵素４ｃ、赤（Ｒ）の絵素４ｄが配列された絵素列８ａのうち、白（Ｗ）の絵素４ａ及び緑（Ｇ）の絵素４ｃは、図２においてＳｍと記された第１ソース配線である左側ソース配線７ａと接続されている。そして当該絵素列８ａのうち、青（Ｂ）の絵素４ｂ及び赤（Ｒ）の絵素４ｄは、図２においてＳｍ＋１と記された第２ソース配線である右側ソース配線７ｂと接続されている。
【００４２】
同様に、左から１列目の絵素列８ｂ、つまり上から順に白（Ｗ）の絵素４ｅ、青（Ｂ）の絵素４ｆ、緑（Ｇ）の絵素４ｇ、赤（Ｒ）の絵素４ｈが配列された絵素列８ｂのうち、白（Ｗ）の絵素４ｅ及び緑（Ｇ）の絵素４ｇは、図２においてＳｍと記された左側ソース配線７ａと接続されている。そして当該絵素列８ｂのうち、青（Ｂ）の絵素４ｆ及び赤（Ｒ）の絵素４ｈは、図２においてＳｍ＋１と記された右側ソース配線７ｂと接続されている。
【００４３】
左から２列目の絵素列、つまり上から順に赤（Ｒ）、緑（Ｇ）、青（Ｂ）、白（Ｗ）の絵素４が配列された絵素列のうち、赤（Ｒ）、青（Ｂ）の絵素４は、図２においてＳｍ＋２と記された左側ソース配線７ａと接続され、緑（Ｇ）、白（Ｗ）の絵素４は、図２においてＳｍ＋３と記された右側ソース配線７ｂと接続されている。
【００４４】
左から３列目の絵素列、つまり上から順に緑（Ｇ）、赤（Ｒ）、白（Ｗ）、青（Ｂ）の絵素４が配列された絵素列のうち、赤（Ｒ）、青（Ｂ）の絵素４は、図２においてＳｍ＋４と記された左側ソース配線７ａと接続され、緑（Ｇ）、白（Ｗ）の絵素４は、図２においてＳｍ＋５と記された右側ソース配線７ｂと接続されている。
【００４５】
左から４列目の絵素列、つまり上から順に青（Ｂ）、白（Ｗ）、赤（Ｒ）、緑（Ｇ）の絵素４が配列された絵素列のうち、白（Ｗ）、緑（Ｇ）の絵素４は、図２においてＳｍ＋６と記された左側ソース配線７ａと接続され、青（Ｂ）、赤（Ｒ）の絵素４は、図２においてＳｍ＋７と記された右側ソース配線７ｂと接続されている。
【００４６】
図３、図４及び図５は、本実施の形態１に係る液晶パネル２の、あるフレームにおける極性配列を示す図である。なお、図３では、破線の四角で囲まれる４絵素行×４絵素列の絵素行列を繰り返した、８絵素行×１２絵素列分の絵素４が示されている。このように、液晶パネル２の画像表示面は、４絵素行×４絵素列の絵素４を繰り返すことによって形成される。
【００４７】
図４には、１方向から見える第１画像の表示に用いられる絵素４が示され、図５上述した別方向から見える第２画像の表示に用いられる絵素４が示されている。図３〜図５に示すように、第１画像及び第２画像は、複数の絵素列８のうち行方向に沿って交互に設けられた第１絵素列８−１及び第２絵素列８−２によってそれぞれ表示される。本実施の形態１では、図４の第１絵素列８−１は、図３の複数の絵素列８のうち左から奇数絵素列に属する絵素列８であり、図５の第２絵素列８−２は、図３の複数の絵素列８のうち左から偶数絵素列に属する絵素列８である。なお、図３の極性配列は、１画像モードの極性配列に相当し、図４及び図５の極性配列は、２画像モードの極性配列に相当する。
【００４８】
さて図３に示すフレームの極性配列において、ゲートドライバ９及びソースドライバ１０は、行方向に沿って複数の絵素列８を順にみた場合に、同じ色の絵素４に印加される電圧の極性が２つの絵素列８ごとに反転するように、絵素４に電圧を印加する。また、図３に示すフレームの極性配列において、ゲートドライバ９及びソースドライバ１０は、列方向に沿って複数の絵素列８を順に見た場合に、同じ色の絵素４に印加される電圧の極性が１つの絵素列８ごとに反転するように、絵素４に電圧を印加する。つまり、ゲートドライバ９及びソースドライバ１０は、一の絵素列８に隣り合う別の絵素列８における赤色、緑色、青色及び白色の絵素４に、当該一の絵素列８における赤色、緑色、青色及び白色の絵素に印加する電圧の極性と逆の極性の電圧を印加する。
【００４９】
図４に示すフレームの極性配列において、ゲートドライバ９及びソースドライバ１０は、行方向に沿って複数の第１絵素列８−１を順にみた場合に、同じ色の絵素４に印加される電圧の極性が１つの第１絵素列８−１ごとに反転するように、絵素４に電圧を印加する。また、ゲートドライバ９及びソースドライバ１０は、列方向に沿って複数の第１絵素列８−１を順に見た場合に、同じ色の絵素４に印加される電圧の極性が１つの第１絵素列８−１ごとに反転するように、絵素４に電圧を印加する。つまり、ゲートドライバ９及びソースドライバ１０は、一の第１絵素列８−１に隣り合う別の第１絵素列８−１における赤色、緑色、青色及び白色の絵素４に、当該一の第１絵素列８−１における赤色、緑色、青色及び白色の絵素に印加する電圧の極性と逆の極性の電圧を印加する。
【００５０】
図５に示すフレームの極性配列において、ゲートドライバ９及びソースドライバ１０は、行方向に沿って複数の第２絵素列８−２を順にみた場合に、同じ色の絵素４に印加される電圧の極性が１つの第２絵素列８−２ごとに反転するように、絵素４に電圧を印加する。また、ゲートドライバ９及びソースドライバ１０は、列方向に沿って複数の第２絵素列８−２を順に見た場合に、同じ色の絵素４に印加される電圧の極性が１つの第２絵素列８−２ごとに反転するように、絵素４に電圧を印加する。つまり、ゲートドライバ９及びソースドライバ１０は、一の第２絵素列８−２に隣り合う別の第２絵素列８−２における赤色、緑色、青色及び白色の絵素４に、当該一の第２絵素列８−２における赤色、緑色、青色及び白色の絵素に印加する電圧の極性と逆の極性の電圧を印加する。
【００５１】
以上の結果、図３〜図５のいずれの極性配列においても、赤（Ｒ）及び青（Ｂ）の絵素の極性だけでなく、視感度が高くフリッカーが目立つ白（Ｗ）及び緑（Ｇ）の絵素の極性が均等に分散されている。つまり、任意のフレームにおいて、水平方向、垂直方向、斜め方向における白（Ｗ）、緑（Ｇ）、赤（Ｒ）及び青（Ｂ）の絵素４の極性が可及的に異なっている。
【００５２】
図６は、図３〜図５で示す極性配列を実現するための、本実施の形態１に係るゲートドライバ９及びソースドライバ１０の駆動制御を示す図である。図６には、あるフレーム（フレームｎと記す）における極性信号を示す。本実施の形態１では、ゲートドライバ９は、ゲート配線Ｇｎ（例えばＧ１）、Ｇｎ＋１（例えばＧ２）、Ｇｎ＋２（例えばＧ３）、Ｇｎ＋３（例えばＧ４）、Ｇｎ＋４（例えばＧ５）、Ｇｎ＋５（例えばＧ６）、Ｇｎ＋６（例えばＧ７）、Ｇｎ＋７（例えばＧ８）、…をこの順に選択する。
【００５３】
ゲートドライバ９は、ゲート配線Ｇｎ（例えばＧ１）をオンし、かつ、ゲート配線Ｇｎ＋１（例えばＧ２）をオフしつつ、ソースドライバ１０は、ソース配線Ｓｍ（例えばＳ１）に第１極性の電圧を印加し、かつ、ソース配線Ｓｍ＋１（例えばＳ２）に第１極性と異なる第２極性の電圧を印加する。その後に、ゲートドライバ９は、ゲート配線Ｇｎ＋１（例えばＧ２）をオンし、かつ、ゲート配線Ｇｎ（例えばＧ１）をオフしつつ、ソースドライバ１０は、ソース配線Ｓｍ（例えばＳ１）に第１極性の電圧を印加し、かつ、ソース配線Ｓｍ＋１（例えばＳ２）に第２極性の電圧を印加する。
【００５４】
本実施の形態１では、ソースドライバ１０は、ゲート配線Ｇｎ（例えばＧ１）、Ｇｎ＋１（例えばＧ２）、Ｇｎ＋２（例えばＧ３）、Ｇｎ＋３（例えばＧ４）、Ｇｎ＋４（例えばＧ５）、Ｇｎ＋５（例えばＧ６）、Ｇｎ＋６（例えばＧ７）、Ｇｎ＋７（例えばＧ８）の選択に応じて、「＋」→「＋」→「−」→「−」→「＋」→「＋」→「−」→「−」の極性信号をこの順で、ソース配線Ｓｍ（例えばＳ１）から出力する。このように、ソースドライバ１０は、２行反転駆を行う。ソースドライバ１０は、これ以降のゲート配線の選択に対しても、上記の順で極性信号を繰り返して出力する。
【００５５】
ソースドライバ１０は、ゲート配線Ｇｎ〜Ｇｎ＋７の選択に応じて、「−」→「−」→「＋」→「＋」→「−」→「−」→「＋」→「＋」の極性信号をこの順で、ソース配線Ｓｍ＋１（例えばＳ２）から出力する。ソースドライバ１０は、これ以降のゲート配線の選択に対しても、上記の順で極性信号を繰り返して出力する。
【００５６】
ソースドライバ１０は、ソース配線Ｓｍ＋１と同じ極性信号をソース配線Ｓｍ＋２（例えばＳ３）から出力する。ソースドライバ１０は、ソース配線Ｓｍと同じ極性信号をソース配線Ｓｍ＋３（例えばＳ４）から出力する。ソースドライバ１０は、ソース配線Ｓｍ〜ソース配線Ｓｍ＋３と同じ極性信号をソース配線Ｓｍ＋４（例えばＳ５）〜ソース配線Ｓｍ＋７（例えばＳ８）から出力する。
【００５７】
図２に示すように、左から３番目及び４番目の絵素列においては、１番目及び２番目の絵素列と異なり、奇数絵素行に属する絵素４のＴＦＴ５には、当該絵素４の右側ソース配線７ｂが接続され、偶数絵素行に属する絵素４のＴＦＴ５には、当該絵素４の左側ソース配線７ａが接続されている。このため、例えばＳ１〜Ｓ４に印加される電圧の極性と、例えばＳ５〜Ｓ６に印加される電圧の極性とは同じであるが、１列目の絵素４の極性と３列目の絵素４の極性とは互に反転し、２列目の絵素４の極性と４列目の絵素４の極性とは互に反転する。
【００５８】
以上により、図３の上から１番目の複数の絵素４の極性は、１番左から順に示すと、「＋」、「−」、「−」、「＋」、「＋」、「−」、「−」、「＋」、…の繰り返しとなる。次のフレーム（フレームｎ＋１）においては、極性が反転し、図３の上から１番目の複数の絵素４の極性は、１番左から順に示すと、「−」、「＋」、「＋」、「−」、「−」、「＋」、「＋」、「−」、…の繰り返しとなる。
【００５９】
＜実施の形態１のまとめ＞
以上のような本実施の形態１に係る液晶表示装置１によれば、ゲートドライバ９及びソースドライバ１０は、一の第１絵素列８−１に隣り合う別の第１絵素列８−１における赤色、緑色、青色及び白色の絵素４に、当該一の第１絵素列８−１における赤色、緑色、青色及び白色の絵素に印加する電圧の極性と逆の極性の電圧を印加する。また、ゲートドライバ９及びソースドライバ１０は、一の第２絵素列８−２に隣り合う別の第２絵素列８−２における赤色、緑色、青色及び白色の絵素４に、当該一の第２絵素列８−２における赤色、緑色、青色及び白色の絵素に印加する電圧の極性と逆の極性の電圧を印加する。このような構成によれば、図３〜図５のいずれの極性配列においても、各色の絵素４の極性が均等に分散されるので、フリッカーの発生を抑制することができる。また同時に書き込みを行う画素行（＝２絵素行）において、同色の絵素４の印加電圧の極性が全て同じにならないため、横シャドーの発生を抑制することができる。以上により、第１画像及び第２画像を並行して表示可能な液晶表示装置１において表示品位を高めることができる。
【００６０】
＜実施の形態２＞
図７、図８及び図９は、本発明の実施の形態２に係る液晶パネル２の、あるフレームにおける極性配列を、図３、図４及び図５と同様に示す図である。図７では、破線の四角で囲まれる４絵素行×４絵素列の絵素４を繰り返した、８絵素行×１２絵素列分の絵素４が示されている。図７の絵素４の配列は、実施の形態１で説明した図３の絵素４の配列と異なっている。
【００６１】
具体的には、図３の配列では、緑色及び白色のそれぞれの絵素４は、左下から右上に進む方向である傾斜方向に配列され、赤色及び青色のそれぞれの絵素４は、右下から左上に進む方向である傾斜方向に配列されていた。これに対して、図７の配列では、緑色及び白色のそれぞれの絵素４は、右下から左上に進む方向である傾斜方向に配列され、赤色及び青色のそれぞれの絵素４は、左下から右上に進む方向である傾斜方向に配列されている。
【００６２】
＜実施の形態２のまとめ＞
以上のような本実施の形態２に係る液晶表示装置１によれば、図７〜図９のいずれの極性配列においても、各色の絵素４の極性が均等に分散されるので、実施の形態１と同様にフリッカーの発生を抑制することができる。また視感度の高い白（Ｗ）と緑（G）の極性が異なることで、横シャドーの発生を軽減することができる。以上により、第１画像及び第２画像を並行して表示可能な液晶表示装置１において表示品位を高めることができる。
【００６３】
＜実施の形態３＞
本発明の実施の形態３に係る液晶表示装置１について説明する前に、図３、図４及び図５に対応する図１０、図１１及び図１２を用いて、実施の形態１に係る液晶表示装置１の表示を説明する。なお、以下の説明では、１画素３を構成する縦２行の２つの絵素４のうち、平面視にてゲート配線６の上側に設けられた絵素４を「上側絵素４」と記すこともあり、平面視にてゲート配線６の下側に設けられた絵素４を「下側絵素４」と記すこともある。
【００６４】
実施の形態１のように、縦２行×横２列の４つの絵素４で１画素３を形成し、ゲート配線６を縦２行の絵素４の間に設けた構成では、一つのゲート配線６の下側絵素４は、当該一つのゲート配線６に隣り合う別のゲート配線６の上側絵素４と容量を形成する。このため、図１０〜図１２に示すようにＧ１→Ｇ２→Ｇ３→Ｇ４→Ｇ５→…のように順次スキャンを行う場合、つまり一つのゲート配線６の後に別のゲート配線６がスキャンされる場合、一つのゲート配線６の下側絵素４の電位は、別のゲート配線６の上側絵素４の電位変動を受けて変動することがある。
【００６５】
例えば、あるフレームにおいて、図１０のゲート配線Ｇ１の下側絵素４のうちの緑（Ｇ）及び白（Ｗ）の絵素４に、「＋」極性及び「−」極性の電位がそれぞれ書き込まれる際、ゲート配線Ｇ２の上側絵素４のうちの青（Ｂ）及び赤（Ｒ）の絵素４には「＋」極性及び「−」極性の電位が書き込まれている。
【００６６】
ゲート配線Ｇ１に接続された画素３に上記極性で書き込みが行われた後、スキャンの順番に従って、ゲート配線Ｇ２に接続された画素３に書き込みが行われる。これにより、ゲート配線Ｇ２の上側絵素４のうちの青（Ｂ）及び赤（Ｒ）の絵素４に、「−」極性及び「＋」極性の電位がそれぞれ書き込まれる。
【００６７】
このゲート配線Ｇ２における書き込みにより、青（Ｂ）の上側絵素４の極性は「＋」から「−」になるため、当該青（Ｂ）の上側絵素４の電位が低下する。ゲート配線Ｇ２の当該青（Ｂ）の上側絵素４と、ゲート配線Ｇ１の緑（Ｇ）の下側絵素４との隣接画素間容量に起因して、当該緑（Ｇ）の下側絵素４に書き込まれていた「＋」極性の電位は、当該青（Ｂ）の上側絵素４の電位の低下とともに低下する。ノーマリブラックモードの液晶表示装置において、ゲート配線Ｇ１の緑（Ｇ）の下側絵素４の「＋」極性の電位の絶対値が、以上の現象によって小さくなってしまうと、輝度が低下して設計上の輝度よりも暗くなってしまう。
【００６８】
一方、上述のゲート配線Ｇ２における書き込みにより、赤（Ｒ）の上側絵素４の極性は「−」から「＋」になるため、当該赤（Ｒ）の上側絵素４の電位が上昇する。ゲート配線Ｇ２の当該赤（Ｒ）の上側絵素４と、ゲート配線Ｇ１の白（Ｗ）の下側絵素４との隣接画素間容量に起因して、当該白（Ｗ）の下側絵素４に書き込まれていた「−」極性の電位は、当該赤（Ｒ）の上側絵素４の電位の上昇とともに上昇する。ノーマリブラックモードの液晶表示装置において、ゲート配線Ｇ１の白（Ｗ）の下側絵素４の「−」極性の電位の絶対値が、以上の現象によって小さくなってしまうと、輝度が低下して設計上の輝度よりも暗くなってしまう。
【００６９】
また、以上の現象と逆の現象が生じることもある。例えば、あるフレームにおいて、図１０のゲート配線Ｇ２の下側絵素４のうちの緑（Ｇ）及び白（Ｗ）の絵素４に、「−」極性及び「＋」極性の電位がそれぞれ書き込まれる際、ゲート配線Ｇ３の上側絵素４のうちの青（Ｂ）及び赤（Ｒ）の絵素４には「＋」極性及び「−」極性の電位が書き込まれている。
【００７０】
ゲート配線Ｇ２に接続された画素３に上記極性で書き込みが行われた後、スキャンの順番に従って、ゲート配線Ｇ３に接続された画素３に書き込みが行われる。これにより、ゲート配線Ｇ３の上側絵素４のうちの青（Ｂ）及び赤（Ｒ）の絵素４に、「−」極性及び「＋」極性の電位がそれぞれ書き込まれる。
【００７１】
このゲート配線Ｇ３における書き込みにより、青（Ｂ）の上側絵素４の極性は「＋」から「−」になるため、当該青（Ｂ）の上側絵素４の電位が低下する。ゲート配線Ｇ３の当該青（Ｂ）の上側絵素４と、ゲート配線Ｇ２の緑（Ｇ）の下側絵素４との隣接画素間容量に起因して、当該緑（Ｇ）の下側絵素４に書き込まれていた「−」極性の電位は、当該青（Ｂ）の上側絵素４の電位の低下とともに低下する。ノーマリブラックモードの液晶表示装置において、ゲート配線Ｇ２の緑（Ｇ）の下側絵素４の「−」極性の電位の絶対値が、以上の現象によって大きくなってしまうと、輝度が上昇して設計上の輝度よりも明るくなってしまう。
【００７２】
一方、上述のゲート配線Ｇ３における書き込みにより、赤（Ｒ）の上側絵素４の極性は「−」から「＋」になるため、当該赤（Ｒ）の上側絵素４の電位が上昇する。ゲート配線Ｇ３の当該赤（Ｒ）の上側絵素４と、ゲート配線Ｇ２の白（Ｗ）の下側絵素４との隣接画素間容量に起因して、当該白（Ｗ）の下側絵素４に書き込まれていた「＋」極性の電位は、当該赤（Ｒ）の上側絵素４の電位の上昇とともに上昇する。ノーマリブラックモードの液晶表示装置において、ゲート配線Ｇ２の白（Ｗ）の下側絵素４の「＋」極性の電位の絶対値が、以上の現象によって大きくなってしまうと、輝度が上昇して設計上の輝度よりも明るくなってしまう。
【００７３】
なお、青（Ｂ）及び赤（Ｒ）の下側絵素４の輝度も、上述の緑（Ｇ）及び白（Ｗ）の下側絵素４の輝度と同様に変動する。ただし、青（Ｂ）及び赤（Ｒ）は、白（Ｗ）及び緑（Ｇ）よりも視感度の低い。このため、図１１に示すように、視感度の高い白（Ｗ）及び緑（Ｇ）の絵素４が上側絵素４であり、視感度の低い青（Ｂ）及び赤（Ｒ）の絵素４が下側絵素４である第１画像では、上述の輝度の変動は視認され難い。しかしながら、図１２に示すように、視感度の高い白（Ｗ）及び緑（Ｇ）の絵素４が下側絵素４であり、視感度の低い青（Ｂ）及び赤（Ｒ）の絵素４が上側絵素４である第２画像では、上述の輝度の変動が視認されることがある。つまり、第２画像において１画素行毎に現れる明暗が視認されることがある。
【００７４】
本実施の形態３では、このような問題を解決するために、ゲート配線６のスキャンの順番を、実施の形態１のスキャンの順番から変更している。
【００７５】
図１３は、本実施の形態３に係るゲートドライバ９及びソースドライバ１０の駆動制御を示す図である。
【００７６】
実施の形態１のゲートスキャン順（図６）は、「Ｇ１」→「Ｇ２」→「Ｇ３」→「Ｇ４」→「Ｇ５」→「Ｇ６」→「Ｇ７」→「Ｇ８」→…であった。これに対して、図１３に示すように本実施の形態３のゲートスキャン順は、「Ｇ１」→「Ｇ４」→「Ｇ３」→「Ｇ２」→「Ｇ５」→「Ｇ８」→「Ｇ７」→「Ｇ６」→…としている。また本実施の形態３では、ゲートスキャン順が実施の形態１のゲートスキャン順から変更されたことに対応させて、図１３のソース極性配列も、実施の形態１の図６のソース極性配列から変更される。
【００７７】
そして本実施の形態３では、ゲートドライバ９は、ゲート配線Ｇｎ（例えばＧ１）〜Ｇｎ＋３（例えばＧ４）のうちゲート配線Ｇｎ（例えばＧ１）のみをオンしつつ、ソースドライバ１０は、ソース配線Ｓｍ（例えばＳ１）に第１極性の電圧を印加し、かつ、ソース配線Ｓｍ＋１（例えばＳ２）に第１極性と異なる第２極性の電圧を印加する。
【００７８】
その後に、ゲートドライバ９は、ゲート配線Ｇｎ（例えばＧ１）〜Ｇｎ＋３（例えばＧ４）のうちゲート配線Ｇｎ＋３（例えばＧ４）のみをオンしつつ、ソースドライバ１０は、ソース配線Ｓｍ（例えばＳ１）に第２極性の電圧を印加し、かつ、ソース配線Ｓｍ＋１（例えばＳ２）に第１極性の電圧を印加する。
【００７９】
その後に、ゲートドライバ９は、ゲート配線Ｇｎ（例えばＧ１）〜Ｇｎ＋３（例えばＧ４）のうちゲート配線Ｇｎ＋２（例えばＧ３）のみをオンしつつ、ソースドライバ１０は、ソース配線Ｓｍ（例えばＳ１）に第２極性の電圧を印加し、かつ、ソース配線Ｓｍ＋１（例えばＳ２）に第１極性の電圧を印加する。
【００８０】
その後に、ゲートドライバ９は、ゲート配線Ｇｎ（例えばＧ１）〜Ｇｎ＋３（例えばＧ４）のうちゲート配線Ｇｎ＋１（例えばＧ２）のみをオンしつつ、ソースドライバ１０は、ソース配線Ｓｍ（例えばＳ１）に第１極性の電圧を印加し、かつ、ソース配線Ｓｍ＋１（例えばＳ２）に第２極性の電圧を印加する。その後、ソースドライバ１０は、これ以降のゲート配線の選択に対しても、上記の順で極性信号を繰り返して出力する。
【００８１】
図１４、図１５及び図１６は、本実施の形態３に係る液晶パネル２の、あるフレームにおける極性配列を、図３、図４及び図５と同様に示す図である。図１４〜図１６に示すように、視感度が低い青（Ｂ）、赤（Ｒ）の明暗だけでなく、視感度が高い緑（Ｇ）、白（Ｗ）の明暗も、第１画像及び第２画像に同等に現れる。
【００８２】
＜実施の形態３のまとめ＞
以上のような本実施の形態３に係る液晶表示装置１によれば、各色の明暗を第１画像及び第２画像に分散することができるので、３次元表示を行った際の表示品質を高めることができる。
【００８３】
＜実施の形態４＞
図１７、図１８及び図１９は、本発明の実施の形態４に係る液晶パネル２の、あるフレームにおける極性配列を、図３、図４及び図５と同様に示す図である。
【００８４】
実施の形態３で述べた課題に対し、本実施の形態４では、実施の形態１〜３の絵素配列を変更している。具体的には、実施の形態１〜３では、２×２の行列状の画素３、つまり４×４の行列状の絵素４である４絵素行×４絵素列の絵素４を単位とし、それが繰り返し配置されていた。そして、４×４の行列においては、緑色及び白色のそれぞれの絵素４は、第１傾斜方向に配列され、赤色及び青色のそれぞれの絵素４は、第１傾斜方向とは異なる第２傾斜方向に配列されていた。
【００８５】
これに対して、本実施の形態４では、２×４の行列状の画素３、つまり４×８の行列状の絵素４を単位とし、それが繰り返し配置されている。この４×８の行列状の絵素４は、複数の絵素列の赤色、緑色、青色及び白色の絵素４を４×４の行列状に配列した、図１７の一点鎖線で示される第１絵素行列１１ａ及び第２絵素行列を含んでいる。
【００８６】
第１絵素行列１１ａの緑色及び白色の絵素４は、右下から左上に進む方向である第１傾斜方向に配列され、第１絵素行列１１ａの赤色及び青色の絵素４は、左下から右上に進む方向である第２傾斜方向に配列されている。一方、第２絵素行列１１ｂは、第１絵素行列１１ａと行方向において隣り合い、かつ列方向に関して第１絵素行列１１ａと線対称である。
【００８７】
なお、ゲートスキャン順は、実施の形態１のゲートスキャン順と同様に、「Ｇ１」→「Ｇ２」→「Ｇ３」→「Ｇ４」→「Ｇ５」→「Ｇ６」→「Ｇ７」→「Ｇ８」→…である。図１７〜図１９に示すように、視感度が低い青（Ｂ）、赤（Ｒ）の明暗だけでなく、視感度が高い緑（Ｇ）、白（Ｗ）の明暗も、第１画像及び第２画像に同等に現れる。
【００８８】
＜実施の形態４のまとめ＞
以上のような本実施の形態４に係る液晶表示装置１によれば、各色の明暗を第１画像及び第２画像に分散することができるので、３次元表示を行った際の表示品質を高めることができる。また、実施の形態１及び２の画素配列に対して視感度が高い緑（Ｇ）及び白（Ｗ）の全てが同一の傾斜方向に配置されていないので、傾斜方向の線が強調されて視認されることを防ぐことができる。
【００８９】
なお、本発明は、その発明の範囲内において、実施の形態を適宜、変形、省略することが可能である。
【符号の説明】
【００９０】
１  液晶表示装置、２  液晶パネル、４，４ａ〜４ｈ  絵素、６  ゲート配線、７，７ａ，７ｂ  ソース配線、８，８ａ，８ｂ  絵素列、８−１  第１絵素列、８−２  第２絵素列、９  ゲートドライバ、１０  ソースドライバ、１１ａ  第１絵素行列、１１ｂ  第２絵素行列。
【図１】
2019015942.tif 000003
【図２】
2019015942.tif 000004
【図３】
2019015942.tif 000005
【図４】
2019015942.tif 000006
【図５】
2019015942.tif 000007
【図６】
2019015942.tif 000008
【図７】
2019015942.tif 000009
【図８】
2019015942.tif 000010
【図９】
2019015942.tif 000011
【図１０】
2019015942.tif 000012
【図１１】
2019015942.tif 000013
【図１２】
2019015942.tif 000014
【図１３】
2019015942.tif 000015
【図１４】
2019015942.tif 000016
【図１５】
2019015942.tif 000017
【図１６】
2019015942.tif 000018
【図１７】
2019015942.tif 000019
【図１８】
2019015942.tif 000020
【図１９】
2019015942.tif 000021
【図２０】
2019015942.tif 000022
【図２１】
2019015942.tif 000023
【図２２】
2019015942.tif 000024
【図２３】
2019015942.tif 000025
【図２４】
2019015942.tif 000026
【図２５】
2019015942.tif 000027